(57)【要約】【課題】自動照明調節のためのインテリジェント照明制御システムを提供する。【解決手段】システムは、第１の照明制御モジュールに電気的に接続された第１の照明設備の第１の照明回路へ第１の電気エネルギー量を送信させるように構成された第１の照明制御モジュールを含む。システムは、第１の照明制御モジュールから、少なくとも１つの第２の照明制御モジュールに電気的に接続された少なくとも１つの第２の照明設備の少なくとも１つの第２の照明回路に第２の電気エネルギー量を送信させるように構成された少なくとも１つの第２の照明制御モジュールに制御メッセージを送信する。システムは、第１の照明制御モジュールを介して受信された入力に基づいて、少なくとも１つの第２の照明制御モジュールから少なくとも１つの第２の照明回路への電気の流れを変更する。【選択図】図７
2019530947.tif 000002
【特許請求の範囲】
【請求項１】
照明制御システムを制御する方法であって、
第１の照明制御モジュールに電気的に接続された第１の照明設備の第１の照明回路に第１の電気エネルギー量を送信させるように構成された第１の照明制御モジュールを介して入力を受信するステップと、
前記第１の照明制御モジュールから、少なくとも１つの第２の照明制御モジュールに制御メッセージを送信するステップであって、前記少なくとも１つの第２の照明制御モジュールは、前記少なくとも１つの第２の照明制御モジュールに電気的に接続された少なくとも１つの第２の照明設備の少なくとも１つの第２の照明回路に第２の電気エネルギー量を送信させるように構成されている、ステップと、
前記第１の照明制御モジュールを介して受信された前記入力に基づいて、前記少なくとも１つの第２の照明制御モジュールから前記少なくとも１つの第２の照明回路への電気の流れを変更するステップと
を備える方法。
【請求項２】
前記少なくとも１つの第２の照明制御モジュールから前記少なくとも１つの第２の照明回路への電気の流れを変更するステップと同期させて、前記第１の照明制御モジュールから前記第１の照明設備への電気エネルギーの流れを変更するステップさらに備える請求項１に記載の方法。
【請求項３】
前記少なくとも１つの第２の照明制御モジュールからの前記電気の流れを変更するステップと同期させて、前記第１の照明制御モジュールから前記第１の照明設備への前記電気エネルギーの流れを変更するステップが、前記少なくとも１つの第２の照明制御モジュールから前記少なくとも１つの第２の照明回路への前記電気エネルギーの流れを中断するステップと同期させて、前記第１の照明制御モジュールから前記第１の照明設備への前記電気エネルギーの流れを中断するステップを備える、請求項１に記載の方法。
【請求項４】
前記送信するステップが、前記第１の照明制御モジュールから前記少なくとも１つの第２の照明制御モジュールへ前記制御メッセージを無線送信するステップを備える、請求項１に記載の方法。
【請求項５】
前記少なくとも１つの第２の照明制御モジュールから前記少なくとも１つの第２の照明回路への前記電気の流れを変更するステップが、前記第２の照明回路に接続された電球を調光するステップを備える、請求項１に記載の方法。
【請求項６】
前記入力を受信するステップが、前記第１の照明制御モジュールにおいて位置決めされた検出器回路から前記入力を受信するステップを備える、請求項１に記載の方法。
【請求項７】
前記入力を受信するステップが、光、音、画像、熱、電波、加速度及び電気に応答する信号の少なくとも１つを前記検出器回路から受信するステップを備える、請求項６に記載の方法。
【請求項８】
前記検出器回路が、光検出器及び赤外線検出器、マイク、画像撮影システム、ビデオ撮影システム、熱センサ、電波受信器、近接センサ、電流センサ並びに電圧センサのうちの少なくとも１つを含む、請求項６に記載の方法。
【請求項９】
入力を受信するステップが、ガレージドア、呼び鈴、警報機、サーモスタット、携帯電子デバイス、自動車、テレビ、セットトップボックス、コンピューティングデバイス及び加速度計のうちの少なくとも１つから入力を受信するステップを備える、請求項１に記載の方法。
【請求項１０】
照明制御システムを制御する方法であって、
照明制御モジュールの検出回路を介して、遠隔電子デバイスの作動及び動作のうちの少なくとも一方を無線検出するステップと、
前記遠隔電子デバイスの前記作動及び前記動作のうちの前記少なくとも一方に応じて、前記照明制御モジュールを介して、前記照明制御モジュールに電気的に接続された照明設備の照明回路に電気エネルギー量が送信されるようにするステップと
を備える方法。
【請求項１１】
前記照明制御モジュールが前記電気エネルギー量を調節するように構成されている、請求項１０に記載の方法。
【請求項１２】
電気エネルギー量が送信されるようにするステップが、前記電気エネルギー量を調節するステップを備える、請求項１１に記載の方法。
【請求項１３】
前記電気エネルギー量を調節するステップが、ある期間にわたって前記電気エネルギー量を徐々に増加させるステップを備える、請求項１０に記載の方法。
【請求項１４】
前記動作を特定するステップをさらに備え、前記電気エネルギー量を調節するステップが前記動作の前記特定に応じて前記量を調節するステップを備える、請求項１２に記載の方法。
【請求項１５】
前記遠隔電子デバイスのデバイスタイプを特定するステップをさらに備え、前記電気エネルギー量を調節するステップが前記デバイスタイプの前記特定に応じて前記量を調節するステップを備える、請求項１２に記載の方法。
【請求項１６】
前記電気エネルギー量を調節するステップが、前記遠隔電子デバイスが動作又は作動される時刻に応じて前記量を調節するステップを備える、請求項１２に記載の方法。
【請求項１７】
前記電気エネルギー量を調節するステップが、光、音、画像、熱、電波、加速度及び電気に応答する信号の少なくとも１つの検出に応じて前記量を調節するステップを備える、請求項１２に記載の方法。
【請求項１８】
前記照明回路に送信された前記電気エネルギー量の時間付記録を生成及び記憶するステップをさらに備える請求項１０に記載の方法。
【請求項１９】
複数の遠隔電子デバイスから前記遠隔電子デバイスを特定するステップをさらに備える請求項９に記載の方法。
【請求項２０】
前記遠隔電子デバイスの前記特定に基づいて、記憶された複数のユーザプロファイルの中からユーザプロファイルを選択するステップをさらに備える請求項１９に記載の方法。
【請求項２１】
複数の動作から作動動作を決定するステップをさらに備える請求項９に記載の方法。
【請求項２２】
前記作動動作の前記決定に応じて前記電気エネルギー量を決定するステップをさらに備える請求項２１に記載の方法。
【請求項２３】
時刻を決定するステップと、
前記時刻に基づいて前記電気エネルギー量を調節するステップと
をさらに備える請求項９に記載の方法。
【請求項２４】
環境光のレベルを検出するステップと、
環境光の前記レベルに基づいて前記電気エネルギー量を調節するステップと
をさらに備える請求項９に記載の方法。
【請求項２５】
自動照明調節のための照明制御システム装置であって、
照明制御モジュールに電気的に接続された照明設備の照明回路に電気エネルギー量を送信させるように構成された第１の照明制御モジュールと、
前記照明制御モジュールに結合されたコントローラと
を備え、
前記コントローラは、前記第１の照明制御モジュールから、１以上の第２の照明制御モジュールに電気的に接続された１以上の第２の照明設備の１以上の第２の照明回路に第２の電気エネルギー量を送信させるように構成された前記１以上の第２の照明制御モジュールへの制御信号を変換するように構成され、
前記制御信号は、前記第２の電気エネルギー量の量、レート、開始時間及び持続時間のうちの少なくとも１つを調整するように構成されている、前記照明制御システム装置。
【請求項２６】
前記第１の照明制御モジュールが、可動アクチュエータを介してユーザ入力を受信するように構成されている、請求項２５に記載の照明制御システム装置。
【請求項２７】
前記可動アクチュエータが触覚ディスプレイを含む、請求項２６に記載の照明制御システム装置。
【請求項２８】
前記第１の照明制御モジュールが検出器回路を備える、請求項２５に記載の照明制御システム装置。
【請求項２９】
前記検出器回路が、光センサ、マイク、画像撮影デバイス、熱センサ、無線受信機アンテナ、近接センサ、電流センサ及び電圧センサのうちの少なくとも１つを含む、請求項２８に記載の照明制御システム装置。
【請求項３０】
前記光センサが赤外センサを含む、請求項２９に記載の照明制御システム装置。
【請求項３１】
前記無線受信機が検出するように構成されている、請求項２９に記載の照明制御システム装置。
【請求項３２】
前記コントローラが、ユーザの相互作用を検出し、ユーザの相互作用を検出することに応じて前記第１の照明制御モジュールから前記第２の照明制御モジュールへ前記制御信号を送信するように構成されている、請求項２９に記載の照明制御システム装置。
【請求項３３】
前記入力を受信するステップが、前記制御モジュールの物理モーメンタリスイッチに対する複数のジェスチャ又は入力の組合せのうちの１つを備える、請求項１に記載の方法。
【請求項３４】
前記入力が、前記制御モジュールのボタンにおけるプレスアンドホールドからなる、請求項３３に記載の方法。
【請求項３５】
前記入力が、前記制御モジュールのボタンにおける迅速なダブルタップからなる、請求項３３に記載の方法。
【請求項３６】
前記入力が、前記制御モジュールのボタンにおける押下の事前設定パターンからなる、請求項３３に記載の方法。
【請求項３７】
前記入力を受信するステップが、前記照明制御モジュールのタッチディスプレイを介して複数のジェスチャ及び入力の組合せのうちの１以上を検出するステップを備える、請求項１に記載の方法。
【請求項３８】
前記タッチディスプレイにおける迅速なダブルタップを検出するステップをさらに備える請求項３７に記載の方法。
【請求項３９】
前記タッチディスプレイにおけるタップアンドホールドを検出するステップをさらに備える請求項３７に記載の方法。
【請求項４０】
前記タッチディスプレイにおける事前設定ジェスチャを検出するステップをさらに備える請求項３７に記載の方法。
【発明の詳細な説明】
【技術分野】
【０００１】
本出願は、２０１６年７月８日出願の米国仮特許出願第６２／３６０２９２号の発明の名称“ＩＮＴＥＬＬＩＧＥＮＴ  ＬＩＧＨＴＩＮＧ  ＣＯＮＴＲＯＬ  ＳＹＳＴＥＭ  ＡＵＴＯＭＡＴＥＤ  ＡＤＪＵＳＴＭＥＮＴ  ＡＰＰＡＲＡＴＵＳＥＳ，ＳＹＳＴＥＭＳ，  ＡＮＤ  ＭＥＴＨＯＤＳ”の優先権を主張し、その出願がその全体においてここに参照として取り込まれる。
【０００２】
本発明は、概略として、照明制御システムの分野に関する。
【背景技術】
【０００３】
家庭用照明制御デバイスのカスタマイズ及び自動化は、それぞれの設備に混同してマッピングされる照明スイッチであふれた見栄えの悪い照明スイッチの設置によるものが多い。自動家庭用照明制御システムはまた、設置及び／又は動作に専門家又は熟練した技術者を必要とする大型の複雑で高価な中央ハブも含むことになる。これらの背景のいずれかに又はより単純なものにさえも導入される小型電球及び／又はＷｉ−Ｆｉ接続可能な電球は、不都合なことに、照明設備に対応付けられた照明スイッチ及び／又は照明設備自体によって制限され得る。例えば、小型電球に対応付けられた照明スイッチがオフに切り替えられた場合には、小型電球は動作不能となる。
【発明の概要】
【０００４】
発明者は、ここで開示される種々の実施形態が、照明制御システムをインテリジェントに制御するようにアクティビティ及び状況を検出するための装置、システム及び方法を提供することを理解した。
【０００５】
種々の実施形態は、自動照明調節のための照明制御システムを制御する方法を提供する。方法は、第１の照明制御モジュールに電気的に接続された第１の照明設備の第１の照明回路に第１の電気エネルギー量を送信させるように構成された第１の照明制御モジュールを介して入力を受信するステップを含む。方法は、第１の照明制御モジュールから、少なくとも１つの第２の照明制御モジュールに電気的に接続された少なくとも１つの第２の照明設備の少なくとも１つの第２の照明回路に第２の電気エネルギー量を送信させるように構成された少なくとも１つの第２の照明制御モジュールへ制御メッセージを送信するステップを含む。方法は、第１の照明制御モジュールを介して受信された入力に基づいて、少なくとも１つの第２の照明制御モジュールから少なくとも１つの第２の照明回路への電気の流れ（フロー）を変更するステップを含む。
【０００６】
ある実施例において、方法は、少なくとも１つの第２の照明制御モジュールから少なくとも１つの第２の照明回路への電気の流れを変更するステップと同期させて、第１の照明制御モジュールから第１の照明設備への電気エネルギーの流れを変更するステップを含む。照明回路における１以上のタイマー又は時計は、同期化のために用いられ得る。
【０００７】
ある実施例において、少なくとも１つの第２の照明制御モジュールからの電気の流れを変更するステップと同期させて第１の照明制御モジュールから第１の照明設備への電気エネルギーの流れを変更するステップは、少なくとも１つの第２の照明制御モジュールから少なくとも１つの第２の照明回路への電気エネルギーの流れを中断するステップと同期させて第１の照明制御モジュールから第１の照明設備への電気エネルギーの流れを中断するステップを備える。
【０００８】
ある実施例において、送信するステップは、第１の照明制御モジュールから少なくとも１つの第２の照明制御モジュールへ制御メッセージを無線送信するステップを備える。
【０００９】
ある実施例において、少なくとも１つの第２の照明制御モジュールから少なくとも１つの第２の照明回路への電気の流れを変更するステップは、第２の照明回路に接続された電球を調光するステップを備える。
【００１０】
ある実施例において、入力を受信するステップは、第１の照明制御モジュールにおいて位置決めされた検出器回路から入力を受信するステップを備える。
【００１１】
ある実施例において、入力を受信するステップは、光、音、画像、熱、電波、加速度及び電気に応答する信号の少なくとも１つを検出器回路から受信するステップを備える。
【００１２】
ある実施例において、検出器回路は、光検出器及び赤外光検出器、マイク、画像撮影システム、ビデオ撮影システム、熱センサ、電波受信器、近接センサ、電流センサ並びに電圧センサのうちの少なくとも１つを含む。
【００１３】
ある実施例において、入力を受信するステップは、ガレージドア、呼び鈴、警報機、サーモスタット、携帯電子デバイス、自動車、テレビ、セットトップボックス、コンピューティングデバイス及び加速度計のうちの少なくとも１つから入力を受信するステップを備える。
【００１４】
種々の実施形態は、照明制御システムを制御する方法を提供する。方法は、照明制御モジュールの検出回路を介して、遠隔電子デバイスの作動及び動作のうちの少なくとも一方を無線検出するステップを含む。方法は、照明制御モジュールを介して、遠隔電子デバイスの作動及び動作のうちの少なくとも一方に応じて、照明制御モジュールに電気的に接続された照明設備の照明回路に電気エネルギー量が送信されるようにするステップを含む。
【００１５】
ある実施例において、電気エネルギー量が送信されるようにするステップは、電気エネルギー量を調節するステップを備える。
【００１６】
ある実施例において、電気エネルギー量を調節するステップは、ある期間にわたって電気エネルギー量を徐々に増加させるステップを備える。
【００１７】
ある実施例において、電気エネルギー量を調節するステップは、ある期間にわたって電気エネルギー量を徐々に増加させるステップを備える。
【００１８】
ある実施例において、方法は動作を特定するステップを含み、電気エネルギー量を調節するステップは動作の特定に応じて量を調節するステップを備える。
【００１９】
ある実施例において、方法は遠隔電子デバイスのデバイスタイプを特定するステップを含み、電気エネルギー量を調節するステップはデバイスタイプの特定に応じて量を調節するステップを備える。
【００２０】
ある実施例において、電気エネルギー量を調節するステップは、遠隔電子デバイスが動作又は作動される時刻に応じて量を調節するステップを備える。
【００２１】
ある実施例において、電気エネルギー量を調節するステップは、光、音、画像、熱、電波、加速度及び電気に応答する信号の少なくとも１つの検出に応じて量を調節するステップを備える。
【００２２】
ある実施例において、方法は、照明回路に送信された電気エネルギー量の時間付記録を生成及び記憶するステップを含む。
【００２３】
ある実施例において、方法は、複数の遠隔電子デバイスから遠隔電子デバイスを特定するステップを含む。
【００２４】
ある実施例において、方法は、遠隔電子デバイスの特定に基づいて、記憶された複数のユーザプロファイルの中からユーザプロファイルを選択するステップを含む。
【００２５】
ある実施例において、方法は、複数の動作から作動動作を決定するステップを含む。
【００２６】
ある実施例において、方法は、作動動作の決定に応じて電気エネルギー量を決定するステップを含む。
【００２７】
ある実施例において、方法は、時刻を決定するステップ及び時刻に基づいて電気エネルギー量を調節するステップを含む。
【００２８】
ある実施例において、方法は、環境光のレベルを検出するステップ、及び環境光のレベルに基づいて電気エネルギー量を調節するステップを含む。
【００２９】
ある実施例において、入力を受信するステップは、制御モジュールの物理モーメンタリスイッチに対する複数のジェスチャ又は入力の組合せのうちの１つを備える。
【００３０】
ある実施例において、入力は、制御モジュールのボタンにおけるプレスアンドホールドからなる。
【００３１】
ある実施例において、入力は、制御モジュールのボタンにおける迅速なダブルタップからなる。
【００３２】
ある実施例において、入力は、制御モジュールのボタンにおける押下の事前設定パターンからなる。
【００３３】
ある実施例において、入力を受信するステップは、照明制御モジュールのタッチディスプレイを介して複数のジェスチャ及び入力の組合せのうちの１以上を検出するステップを備える。
【００３４】
ある実施例において、方法は、タッチディスプレイにおける迅速なダブルタップを検出するステップを含む。
【００３５】
ある実施例において、方法は、タッチディスプレイにおけるタップアンドホールドを検出するステップを含む。
【００３６】
ある実施例において、方法は、タッチディスプレイにおける事前設定ジェスチャを検出するステップを含む。
【００３７】
種々の実施形態は、自動照明調節のための照明制御システムを提供する。システムは、照明制御モジュールに電気的に接続された照明設備の照明回路に電気エネルギー量を送信させるように構成された第１の照明制御モジュールを含む。システムは、照明制御モジュールに結合されたコントローラを含む。コントローラは、第１の照明制御モジュールから、１以上の第２の照明制御モジュールに電気的に接続された１以上の第２の照明設備の１以上の第２の照明回路に第２の電気エネルギー量を送信させるように構成された１以上の第２の照明制御モジュールへの制御信号を変換するように構成される。制御信号は、第２の電気エネルギー量の量、レート、開始時間及び持続時間のうちの少なくとも１つを調整するように構成される。
【００３８】
ある実施例において、第１の照明制御モジュールは、可動アクチュエータを介してユーザ入力を受信するように構成される。
【００３９】
ある実施例において、可動アクチュエータは、触覚ディスプレイを含む。
【００４０】
ある実施例において、第１の照明制御モジュールは、検出器回路を備える。
【００４１】
ある実施例において、検出器回路は、光センサ、マイク、画像撮影デバイス、熱センサ、無線受信機アンテナ、近接センサ、電流センサ及び電圧センサのうちの少なくとも１つを含む。
【００４２】
ある実施例において、光センサは、赤外センサを含む。
【００４３】
ある実施例において、無線受信機は、検出するように構成される。
【００４４】
ある実施例において、コントローラは、ユーザの相互作用を検出し、ユーザの相互作用を検出することに応じて第１の照明制御モジュールから第２の照明制御モジュールへ制御信号を送信するように構成される。
【００４５】
種々の実施例は、照明制御システムを動作させるためのコンピュータプログラム製品を提供する。コンピュータプログラム製品は、１以上のプロセッサに結合され、１以上のプロセッサによって実行された場合に１以上のプロセッサが説明する先行の実施例のいずれかによる及び／又はここで開示する装置のいずれかによる照明制御システム装置を動作させるための動作を実行する命令が記憶された非一時的コンピュータ可読記憶媒体を含み得る。
【００４６】
上記の概念及び以下でより詳細に説明する追加的概念のすべての組合せ（提供されるそのような概念は相互に矛盾しない）は、ここで開示される発明の主題の一部であると考えられることが分かるはずである。特に、この開示の最後にある請求項による主題のすべての組合せは、ここで開示される発明の主題の一部であると考えられる。参照として取り込まれる任意の開示に出現し得る、ここで明示的に採用される専門用語は、ここで開示される特定の概念に最も一致する意味で扱われるべきであることも分かるはずである。
【００４７】
図面は、主に例示目的のものでありここで説明する発明の主題の範囲を限定するものではない。図面は縮尺通りである必要はなく、ある例では、ここで開示される発明の主題の種々の態様が異なる構成の理解を促すように図面において誇張又は拡大して示されることがある。図面において、同様の符号は、一般的に、同様の構成（例えば、機能的に同類及び／又は構造的に同類の要素）を示す。
【図面の簡単な説明】
【００４８】
【図１Ａ】図１Ａは、照明制御デバイスの部分的に展開斜視図である。
【図１Ｂ】図１Ｂは、図１Ａの照明制御デバイスの完全展開図である。
【図２−１】図２Ａは、壁に据え付けられた図１Ａの照明制御デバイスを示す。図２Ｂは、複数スイッチの照明制御デバイスを示す。
【図２−２】図２Ｃは、複数スイッチの照明制御デバイスを示す。
【図３Ａ】図３Ａは、種々の照明設定を通じて変位する照明制御デバイス及び照明制御デバイスによって制御された照明設備を有する部屋を示す。
【図３Ｂ】図３Ｂは、種々の照明設定を通じて変化する照明制御デバイス及び照明制御デバイスによって制御された照明設備を有する部屋を示す。
【図３Ｃ】図３Ｃは、種々の照明設定を通じて変化する照明制御デバイス及び照明制御デバイスによって制御された照明設備を有する部屋を示す。
【図３Ｄ】図３Ｄは、種々の照明設定を通じて変化する照明制御デバイス及び照明制御デバイスによって制御された照明設備を有する部屋を示す。
【図３Ｅ】図３Ｅは、種々の照明設定を通じて変化する照明制御デバイス及び照明制御デバイスによって制御された照明設備を有する部屋を示す。
【図３Ｆ】図３Ｆは、種々の照明設定を通じて変化する照明制御デバイス及び照明制御デバイスによって制御された照明設備を有する部屋を示す。
【図４】図４は、照明制御デバイスを制御するためのシステムの動作についてのフロー図を提供する。
【図５】図５は、照明制御デバイスを遠隔動作させるためのシステムのフロー図を示す。
【図６】図６は、照明制御デバイスの動作を遠隔構成するためのシステムのフロー図を示す。
【図７】図７は、照明制御システムを動作させる方法についてのフロー図である。
【図８】図８は、照明制御システムの概略図である。
【図９Ａ】図９Ａは、複数の照明制御デバイスを含む照明制御システムを示す。
【図９Ｂ】図９Ｂは、複数の照明制御デバイスを含む照明制御システムを示す。
【図１０】図１０は、照明制御デバイスを概略的に示す。
【図１１】図１１は、照明制御デバイスのコントローラによって動作するプロセッサのブロック図を概略的に示す。
【発明を実施するための形態】
【００４９】
ここで開示される発明の主題の構成及び効果は、図面と併用した場合に以下に記載する詳細な説明からより明らかとなる。
【００５０】
以下、照明制御デバイスの発明のシステム、方法及び構成要素に関連する種々の概念及び例示的な実施形態についてのより詳細な説明である。
【００５１】
図１Ａは、照明制御デバイス１００の部分展開斜視図である。照明制御デバイス１００は、照明スイッチアクチュエータ１０６及び照明スイッチアクチュエータ１０６に格納された触覚ディスプレイ１０４を含むスイッチモジュール１０２を含む。照明制御デバイス１００はまた、それを通じて延在するスイッチモジュール開口部１１０を含む壁プレートカバー１０８も含む。照明制御デバイス１００はまた、複数ピンのソケット１１４を介してスイッチモジュール１０２に結合するように構成されたベースモジュール１１２も含む。ベースモジュール１１２は、１ギャング壁電気ボックス内に収容するためのサイズ及び構成であり、そこに実質的に対応する容積を有する。ベースモジュール１１２は、接続タブ１１６及び接続タブ１１６における留め具開口１１８を介して壁電気ボックスに結合されるように構成される。
【００５２】
照明スイッチアクチュエータ１０６は外部作動面１２２を含み、それはここでさらに説明するようにガラスで構成され得る。例えば、作動面１２２は、例えば、湾曲下端部１２０を押圧して照明スイッチアクチュエータ１０６を旋回させることによって可動となる。照明スイッチアクチュエータ１０６及び作動面１２２の旋回によって、スイッチアクチュエータ１０６の（図２に示す）コンタクト構成要素を第１の位置から第２の位置に移動させる。コンタクト構成要素の移動によって、例えば、２つの電気コンタクトを接続させることによって又はコンタクト構成要素を電気コンタクトに接続することによって電流経路が接続する。電流経路の接続によって、ここでさらに詳細に説明するように、ベースモジュール１１２に接続された電源によって供給される電気エネルギーは、触覚ディスプレイ１０４に給電又は作動させる。触覚ディスプレイ１０４は、スイッチモジュールにおいて構築されて作動面１２２の少なくとも一部及びアクチュエータ１０６とともに同時に移動する。触覚ディスプレイ１０４は、作動又は給電されると、ユーザが事前に規定された照明設定を規定又は選択することを可能とし、照明設定は１以上の照明設備に供給された電圧又は電力を変化させる。照明設備に供給される電力の変化は、各設備に供給される複数の異なる電圧を含み、それに限定されることなく、位置、光強度、光色、電球のタイプ、照明のタイプ、環境光レベル、時刻、アクティビティの種類、室温、ノイズレベル、エネルギーコスト、ユーザの接近、ユーザの識別、又は指定若しくは検出され得る他の種々のパラメータを含む種々のパラメータに基づき得る。さらに、照明制御デバイス１００は、部屋における又は住宅においてもすべての照明に接続され得るものであり、ユニット又は部屋に位置して同じ又は個別の照明設備に接続された他の１以上の照明制御デバイス１００と連動して動作するように構成され得る。
【００５３】
図１Ｂは、図１Ａの照明制御デバイス１００の完全展開図である。図１Ｂで示すように、触覚ディスプレイ１０４は、外部作動面１２２と照明スイッチアクチュエータ１０６の間に位置決めされる。作動面１２２は、触覚ディスプレイ１０４及び／若しくはセンサ１２７に対して見通せる経路からの光、又は作動を示す照明パイプ１２６からの光などの他の光を通過させる耐衝撃性ガラス材料で構成され、作動面１２２を通過させることができる。触覚ディスプレイ１０４は、プリント回路ボード１２９に位置決めされた１以上のモジュール又はプロセッサを介して制御されるポリマーによる容量性タッチ層１２４及び発光ダイオードパネル１２５で構成される。触覚ディスプレイ１０４は、作動面１２２の下の照明スイッチアクチュエータ１０６の凹部１３１内に格納される。照明スイッチアクチュエータ１０６は、ハウジングカバー１３３及びハウジングベース１３５を含む熱可塑性ハウジングとして形成され得る。照明スイッチアクチュエータのハウジングカバー１３３はピン１３６を介してハウジングベース１３５に旋回可能に接続され、ハウジングカバー１３３はねじりバネ１３７を介してハウジングベース１３５に対して偏向される。特定の実施形態では、照明スイッチアクチュエータのハウジングカバー１３３は、スライドするように、あるいは平行移動又は回転するように構成され得る。外部作動面１２２は、スイッチアクチュエータのハウジングカバー１３３とともに偏向され、照明スイッチアクチュエータ１０６のカバー構成要素１３３に格納された触覚ディスプレイ１０４と協調して同時に移動する。照明スイッチアクチュエータ１０６は主プリント回路ボード基板１５０上の開回路を閉じるような位置の間で可動であるスイッチピン１２８を含み、ボードはスイッチコントローラ又はプロセッサも格納する。ある実施形態では、照明スイッチアクチュエータ１０６は、主プリント回路ボード基板１５０及び副プリント回路ボード１３８を含む回路ボード積層体を含み得る。照明スイッチアクチュエータ１０６は（例えば、照明スイッチアクチュエータ１０６は壁プレートカバー１０８において開口部１１０に通されるように）ベースモジュール１１２に結合するためにラッチ１３６を含んでもよく、ラッチによって照明スイッチアクチュエータ１０６は嵌合する。ハウジングベース１３５は、ベースモジュール１１２の複数ピンのソケット１１４を係合させるように構成された複数ピンのコネクタ又はプラグ１３４を含む。
【００５４】
照明制御デバイス１００は、壁電気ボックスに設置されるように構成された据付けシャーシ１４２を含む。据付けシャーシ１４２は、他のモジュール（例えば、ベースモジュール１１２及びスイッチモジュール１０２）の設置のための平坦面をもたらす。ベースモジュールが据付けシャーシ１４２を介して壁電気ボックスに接続されると、壁プレートカバー１０８は据付けシャーシ１４２に結合可能であり、照明スイッチアクチュエータ１０６はスイッチモジュールの開口部１１０を通じて挿入可能である。特定の実施形態では、壁プレートカバーは、磁石を介して据付けシャーシ１４２及び／又はベースモジュールのタブ１１６に結合され得る。磁石は、壁プレートカバー１０８の一部の開口部内で凹状であってもよい。上述したように、ベースモジュール１１２は、接続タブ１１６を介して据付けシャーシ１４２に結合されるように構成される。ベースモジュール１１２は、さらに、電源（例えば、電気ブレーカボックスから壁電気ボックスへの電線）及び電気ボックスに配線された１以上の照明設備に電気的に結合されるように構成される。したがって、ベースモジュール１１２は、電源、照明スイッチアクチュエータ１０６及び１以上の照明設備の間のインターフェースを提供する。ベースモジュールは、照明スイッチアクチュエータ１０６又は触覚ディスプレイ１０４を介して特定される照明設定の選択に従って電源によって供給されて１以上の照明設備に配電される電力を管理するために、プロセッサ１４０及び回路ボード１４１を含む。
【００５５】
プリント回路ボード１５０又は１３８上のプロセッサ及びベースモジュールのプロセッサ１４０のうちの１以上は、携帯電話、タブレット、ラップトップ、他の携帯コンピューティングデバイス、他の１以上の照明制御デバイス１００又は適所で動作する他の電子デバイスなどの１以上の遠隔電子デバイスとの通信のための無線リンクを含み得る。ある実施例において、無線リンクによって、それに限定されることなく小型電球、サーモスタット、ガレージドアオープナ、ドアロック、遠隔制御、テレビ、セキュリティシステム、セキュリティカメラ、煙探知器、ビデオゲームコンソール、ロボットシステム、又は他の通信可能な検知及び／若しくは作動デバイス若しくは機器を含む１以上のデバイスとの通信が可能となる。無線リンクは、ＢＬＵＥＴＯＯＴＨ（登録商標）クラス、Ｗｉ−Ｆｉ、ＢＬＥ（ＢＬＥ及びＢＴクラシックはブランディングを単に共有する完全に異なるプロトコルである）としても知られるＢｌｕｅｔｏｏｔｈ−ｌｏｗ−ｅｎｅｒｇｙ（登録商標）、８０２．１５．４、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ（登録商標））、赤外チャネル又は衛星帯を含み得る。無線リンクはまた、それに限定されることなく、１Ｇ、２Ｇ、３Ｇ又は４Ｇに該当する規格を含む携帯デバイスの間の通信に用いられる任意のセルラネットワーク規格も含み得る。ネットワーク規格は、国際電気通信連合によって維持された仕様などの仕様又は規格を満たすことによって移動通信規格の１以上の世代に該当し得る。３Ｇ規格は、例えば、Ｉｎｔｅｒｎａｔｉｏｎａｌ  Ｍｏｂｉｌｅ  Ｔｅｌｅｃｏｍｍｕｎｉｃａｔｉｏｎｓ−２０００（ＩＭＴ−２０００）仕様に対応し得るものであり、４Ｇ規格はＩｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ（ＩＭＴ−Ａｄｖａｎｃｅｄ）仕様に対応し得る。セルラネットワーク規格の例は、ＡＭＰＳ、ＧＳＭ、ＧＰＲＳ、ＵＭＴＳ、ＬＴＥ、ＬＴＥ  Ａｄｖａｎｃｅｄ、Ｍｏｂｉｌｅ  ＷｉＭＡＸ及びＷｉＭＡＸ−Ａｄｖａｎｃｅｄを含む。セルラネットワーク規格は、種々のチャネルアクセス方法、例えば、ＦＤＭＡ、ＴＤＭＡ、ＣＤＭＡ又はＳＤＭＡを用いてもよい。ある実施形態では、異なるタイプのデータは、異なるリンク及び規格を介して送信され得る。他の実施形態では、同じタイプのデータが、異なるリンク及び規格を介して送信されてもよい。
【００５６】
図２Ａは、壁２００に据え付けられた図１Ａの照明制御デバイス１００を示す。図２Ａにおいて示すように、ベースモジュール１１２は、壁プレートカバー１０８を考慮すると照明制御デバイス１００を設置すると見えなくなる。壁プレートカバー１０８がベースモジュール１１２に合着するので、壁プレートカバー１０８は壁２００に浮いているように見える。照明制御デバイス１００は、ユーザ１０３が外部作動面１２２及び触覚ディスプレイ１０４とインタラクトすることによって作動され得る。
【００５７】
図２Ｂ及び２Ｃは、複数の照明制御デバイスの複数スイッチ構成を示す。図２Ｂ及び２Ｃは２つのスイッチ及び３つのスイッチの実施形態をそれぞれ示し、照明制御デバイス２０２及び２０３は各々、照明スイッチアクチュエータ１０６と、さらに補助スイッチ２０４及び２０８と、２つ及び３つのベースモジュール１１２とをそれぞれに含む。
【００５８】
図３Ａ〜３Ｆは、種々の照明設定を通じて変位する照明制御デバイス及び照明制御デバイスによって制御される照明設備を有する部屋を示す。
【００５９】
図３Ａにおいて、照明制御デバイス３００は、壁プレート３０８の後方に位置決めされたベースモジュールに接続される。照明制御デバイス３００は、図１Ａ〜２Ｃに関連して説明した照明スイッチアクチュエータと同様に動作可能なダイナミック照明スイッチアクチュエータ３０６及び補助照明スイッチアクチュエータを含む。図３Ａで示すように、照明スイッチアクチュエータ３０６の暗い外部作動面３２２は非アクティブであり、給電されていない。ユーザ１０３が照明スイッチアクチュエータ３０６の作動面３２２を移動させることに応じて、図３Ｂに示すように、照明スイッチアクチュエータ３０６は給電され始める。照明スイッチアクチュエータ３０６の給電又は作動は、パワーライトインジケータ３０５及び完全照明設定アイコン３５１によって信号表示される。アイコン３５１が全光点灯した図３Ｃで示すように（図３Ｂのように部分的点灯でない）、照明スイッチアクチュエータ３０６は完全に給電される。この特定の構成において、主照明３０９及び３１０は全光点灯される。図３Ｄは、照明設定の間の変位を示す。図３Ｄで示すように、この変位は、ユーザ１０３が触覚ディスプレイ３０４にわたって作動面３２２に沿ったスワイプジェスチャ３１２を完了することを通じて促進される。ユーザがジェスチャ３１２を完了すると、アイコン３５１は、触覚ディスプレイが図３Ｅに示す新たな照明設定にトグルするように触覚ディスプレイ３０４からスワイプされる。図３Ｅに示す新たな照明設定は、ディナーのアイコン３５２によって表示又は特定される。図３に示す新たな照明設定は、照明設備３０９の電源を落とし、ランプ３１６及び燭台３１８が部屋の照明シーンを変えるように照明されるようになっている。照明設定の変化は、選択された照明設定に基づいてある照明設備への電力の配分の変化をもたらす。照明スイッチアクチュエータ３０６には、複数の照明設定が事前にプログラムされてもよく、ユーザ１０３によって指定されるように特定の照明設定が構成されてもよい。図３Ｆに示すさらなるスワイプジェスチャ３１５又は異なるジェスチャは、アイコン３５２によって示される図３Ｆの照明設定からさらなる照明設定に変位するのに用いられる。
【００６０】
図４は、照明制御デバイスを制御するためのシステムの動作についてのフロー図を提供する。図４は、本発明の種々の実施形態により、照明制御デバイス１００又は３００を制御するように構成されたプロセッサ１３０などの制御システムの制御動作を示す。４０１では、照明スイッチアクチュエータに格納された触覚ディスプレイは、照明スイッチアクチュエータを移動することによって、例えば、照明スイッチアクチュエータの作動面を移動することによって作動される。４０２では、照明スイッチアクチュエータの移動がコンタクト構成要素を新たな位置に移動させ、それによって電源と照明設備の間の電流経路が閉じられるのを許可又は可能とするように、ベースモジュールを介して照明スイッチアクチュエータに電気的に結合された照明設備に電力が供給される。照明スイッチアクチュエータに格納された触覚ディスプレイは、作動面と同時に移動される。４０３では、照明設定の選択リクエストが、触覚ディスプレイを介して、例えば、触覚ディスプレイにおける１つ又は複数の特定の動きによって受信される。照明設定の選択リクエストは、複数の照明設定の中からある照明設定を特定する。ユーザは、複数回スワイプして複数の照明設定を通じてトグルしてもよいし、それに限定されることなく、すべての接続された照明設備の光強度をそれらのピーク出力の半分に達するように半分のスワイプ及びタップを含む特定の照明設定に対応する具体的な動きを行ってもよい。照明設定は、照明スイッチモジュールに接続された１以上の照明設備に対して個別の配電手法を特定する。４０４では、配電手法が特定される。４０５では、特定された配電手法は、例えば、照明スイッチアクチュエータからの制御信号に応じてベースモジュールによって送信されて、選択された照明設定に対応する配電手法に基づき照明の１つ、一部又は全部を調節する。配電手法又はプロファイルは、照明制御デバイスのメモリデバイスに記憶され得る。ある実施形態では、配電手法は自然光からの環境照明又は接続されていないソースなどの他のパラメータを説明するように調節され得る。ある実施形態では、配電手法は他の１以上のセンサパラメータに基づいて調節され得る。特定の実施形態では、照明設定は、時刻と、光、温度、ノイズ、又はそれに限定されることなくここで説明する任意の電子デバイスを含む他のデバイスの作動などの検知されるパラメータとに基づく自動化によって調節され得る。
【００６１】
図５は、照明制御デバイスを遠隔動作させるためのシステムのフロー図を示す。特定の実施形態では、照明制御デバイス１００又は３００は、アクチュエータスイッチが作動又は給電する場合に遠隔デバイスにより動作可能となり得る。そのような例では、遠隔デバイスは、デバイス上で動作して照明制御デバイスと通信し及びそれを制御するシステム５００などの１以上のコンピュータプログラムアプリケーションを含み得る。したがって、５０１では、制御システム５００は、接続モジュールを始動させて携帯電子デバイスと照明スイッチモジュールの間の通信インターフェースを生成する。接続モジュールは、遠隔デバイスに通信プロトコルを介して１以上の無線伝送を照明制御デバイスに送信させ得る。５０２では、制御システム５００によって、遠隔デバイスは照明設定の選択を容易にするように携帯電子デバイスの表示デバイス上にアイコンの表示を生成可能となる。５０３では、制御システム５００は、ユーザが特定のアイコンを選択することに基づいて照明設定の選択を受信する。５０４では、送信モジュールによって、選択された照明設定が照明制御デバイスに送信されることになり、それにより照明スイッチモジュール及び／又はベースモジュールによって照明設定に対応する配電手法が照明設備に送信可能となる。照明制御デバイスの触覚ディスプレイは、照明設定の受信に呼応して更新されて、携帯電子デバイスにおいて選択され触覚デバイスにおいて選択された照明設定に対応するアイコンを表示し得る。
【００６２】
図６は、照明制御デバイスの動作を遠隔構成するためのシステムのフロー図を示す。遠隔デバイスは、それに限定されることなく、携帯電話、携帯コンピューティングデバイス、又は照明制御デバイスから遠隔のコンピューティングデバイスを含むデバイスを含み得る。６０１において、携帯電子デバイスは、照明スイッチモジュールとの通信インターフェースを生成する。６０２において、照明設備特定モジュールは、センサによるプロトコルを始動して照明スイッチ制御モジュールに接続された１以上の照明設備に対応付けられたパラメータを特定する。６０３において、表示選択モジュールによって携帯電子デバイスの表示デバイス上にアイコンの表示が出現する。６０４において、照明設定構成モジュールによって、ユーザは、特定されたパラメータ及び光強度に関するユーザの指定した入力に基づいて特定された照明設備に対して配電手法又はプロファイルを作成可能となる。６０４において、記憶モジュールは、配電手法を記憶し特定の照明設定アイコンを配電手法に対応付けるのに用いられる。６０５において、送信モジュールは、配電手法及び対応付けられたアイコンを照明スイッチ制御モジュールに送信する。
【００６３】
図７は、照明制御システムを動作させる方法のフロー図である。７０１では、システム１００などの照明制御システムは、第１のスイッチコントローラにおいてユーザから入力を受信する。７０２において、第１のスイッチコントローラはユーザから受信された入力を、第２の照明制御システムの第２のスイッチコントローラに送信し、これはシステム１００にも対応可能である。７０３において、第２のスイッチコントローラは、第１のスイッチコントローラにおいて受信された入力に基づいて変更するように第２のスイッチコントローラに結合された第２の照明回路への電気の流れを変化させる。したがって、照明制御システムは、ユーザによって選択される特定の照明シーンを生成するために、異なる照明制御システムのスイッチ間の協調制御を容易にする。例えば、ユーザは特定のスイッチコントローラにおいてダブルタップを選択してもよく、システムはダブルタップが照明の完全消灯を示すようにプログラムされ得る。したがって、ユーザは、住宅又は建造物の第１の端部においてユーザが各部屋に入室して個々に照明の電源を切る必要なく、建造物における他方のスイッチコントローラにそれらの照明の電源を切るコマンドを送信する単一のスイッチコントローラにダブルタップすることによって、建造物全体の照明の電源を切ることができる。
【００６４】
図８は、ここで説明する照明制御動作を実行するように構成された照明制御システム８００の概略図である。照明制御システム８００は、ここで説明するように、エアギャップシステムを含む照明制御システムで実現可能な照明制御システムの構成要素を示す。照明制御システム８００は、（ベースモジュール１１２と同様に構成され得る）ベース照明制御モジュール８１２及び（スイッチモジュール１０２と同様に構成され得る）スイッチモジュール又はスイッチコントローラ８０２に分けて示される。ここで説明するように、スイッチモジュール８０２は、グラフィカルユーザインターフェースモジュール８５２を介して動作可能な触覚インターフェース、並びにここで説明した触覚ディスプレイ１０４及び照明スイッチアクチュエータ１０６などのスイッチアクチュエータを含み得る。スイッチモジュール８０２はプロセッサ８５０を格納し、それはコマンドをマイクロコントローラ８４０に送信しマイクロコントローラ８４０からの入力を受信して、変圧器８１８と、電力アイソレータ及びＡＣ／ＤＣ変換器８１４（フライバック変換器を含み得る）と、ＴＲＩＡＣ調光器８１３などの調光器と、電圧電流センサ８１６との動作を制御するように構成され得る。ある実施形態では、ベース照明制御モジュール８１２は、ＭＯＳＦＥＴ調光器を含み得る。電力アイソレータ８１４は、ベース照明制御モジュール８１２及びスイッチモジュール８０２においてアナログＡＣ電流をローパワー又はＤＣデジタルの構成要素から分離する。電力アイソレータ８１４は、電力モジュール８５３を介して電力入力をスイッチ制御モジュール８０２に供給し得る。電力モジュール８５３は、スイッチコントローラモジュール８０２における１以上のモジュールに電力を指向することを含む、ベースモジュール８１２からスイッチコントローラモジュール８０２への電力フロー（電力の流れ）を調整するように構成された電力回路を含む。スイッチモジュール８０２はまた通信モジュールも格納し、それは１以上のアンテナ又は他の無線通信モジュールを含み得る。スイッチモジュール８０２はまたセンサモジュール８５４も格納し、それは光センサ、カメラ、マイク、温度計、湿度センサ及び大気質センサなどの１以上のセンサを含み得る。プロセッサ８５０は、スイッチモジュール８０２における１以上のモジュールと通信可能に結合されて、例えば、ベース照明制御モジュール８１２に接続された照明設備８２４の照明回路への電気エネルギーの流れの変調を制御するように、それらモジュールの動作を制御するとともにそれらからの入力を受信する。
【００６５】
センサモジュール８５４は、部屋の動きを検出するように構成され得る。センサモジュールは、パッシブセンサ（例えば、パッシブ赤外線（ＰＩＲ）センサ）、アクティブセンサ（例えば、マイクロ波（ＭＷ）センサ、超音波センサなど）並びにパッシブセンサ及びアクティブセンサの双方を含むハイブリッドセンサ（例えば、デュアルテクノロジーモーションセンサ）のうちの１以上を含み得る。パッシブセンサは、エネルギーを放出せずに周囲のエネルギー変化を検出する。例えば、ＰＩＲセンサは人体によって放出される赤外線エネルギー（人体に関連した温度に起因する）を検出することができる。一方、アクティブセンサは、電磁パルス又は音波パルスを放出しその反射を検出する。例えば、ＭＷセンサは、マイクロ波パルスを放出しその反射を検出する。ハイブリッドセンサはアクティブセンサ及びパッシブセンサの双方を含み得るので、動きを能動的及び受動的の双方で検知することができる（ハイブリッド検知）。ハイブリッド検知にはいくつかの効果があり、例えば、動きの誤検出の可能性がアクティブ／パッシブセンサと比べてハイブリッドセンサでは低くなり得る。
【００６６】
ベース照明制御モジュール８１２は、モジュール８１２における種々の電気構成要素の容器をアースするためのアース端子８３０を含む。ベース照明制御モジュール８１２は、中性ワイヤ、ライン端子８２６及び負荷端子８２２に接続するために中性端子８２８を含む。図８に示すように、電圧電流センサは、負荷ラインに結合されて、照明回路に接続された１以上の照明設備８２４に電力を搬送するラインに沿った電圧又は電流の変化を検出する（７５０）。ベース照明制御モジュール８１２はまた、プロセッサ８５０に通信可能に結合されたコントローラ８４０も含む。ベース照明制御モジュール８１２はまた、ベース照明制御モジュール８１２の状態に関する情報を示すためにＬＥＤインジケータ照明８４２及び８４１も含む。例えば、ある実施形態では、ＬＥＤインジケータ照明８４１は、中性ワイヤが接続されているかを示すことができ、一方のＬＥＤインジケータ照明８４２は３方向接続で接続されているかを示すことができる。
【００６７】
図９Ａ及び９Ｂは、建造物（例えば、住宅、オフィスなど）にわたって、例えば、建造物の異なる部屋において分配される複数の照明制御サブシステムを含む照明制御システム９００の実施例を示す。図９Ａに示す照明制御システム９００の実施例において、部屋９０２ａ〜ｄは、個別の照明制御システムを有する。例えば、部屋９０２ａの照明制御システムは、照明制御デバイス９０４ａ、照明回路９１０ａ、光センサ９０６ａ及びモーションセンサ９０８ａを含む。照明制御システム９００は、照明制御システム９００のための中央制御として作用する中央照明制御デバイス９０４を含み得る。ある実施形態では、中央照明制御デバイス９０４は、システム１００又は８００などの照明制御システムを含み得る。
【００６８】
照明制御デバイス９０４ａ、光センサ９０６ａ、モーションセンサ９０８ａ及び照明回路９１０ａを備える部屋９０２ａの照明制御システムを説明する。ただし、説明する概念及び用途は、部屋９０２ａにおける照明制御システムに限定されず、一般的に、他の部屋（例えば、９０２ｂ〜ｄ）における照明制御システム又は２以上の部屋にわたって分配され得る照明制御サブシステムに適用可能である。
【００６９】
光センサ９０６ａは、例えば、電磁エネルギー（例えば、光子エネルギー）を電気信号（例えば、電流又は電圧信号）に変換することによって、環境光（自然光及び／又は照明回路９１０ａに接続された照明設備からの光を含み得る）を検出するように構成される。電気信号は、照明制御デバイス９０４ａに伝達可能である。光センサ９０６ａは、１以上のフォトレジスタ、フォトダイオード、電荷結合素子などを含み得る。光センサ９０６ａは、ある周波数の光が送信されることにより光センサ９０６ａによって検出されることを優先的に可能とする光フィルタを含み得る。例えば、光フィルタは、照明回路９１０ａから放出される光に対応する周波数を送信するように構成され得る。これによって、光センサ（例えば、９０６ａ）は、他のソースによって発生される光をフィルタ除去しつつ照明回路９１０ａからの光を優先的に検出可能とし得る。例えば、光センサが環境自然光（例えば、日光）を受信する部屋に位置する場合には、光センサは環境自然光を実質的にフィルタ除去し、主に照明回路９１０ａからの光を検出することができる。光センサ９０６ａはまた、光強度の範囲、例えば、照明回路９１０ａによって生成可能な強度の範囲を効果的且つ正確に検出するようにも構成されることができる。これによって、光センサ９０６ａは、照明回路９１０ａの種々の強度設定に対して光を効果的且つ正確に検出可能とし得る。
【００７０】
モーションセンサ９０８ａは、部屋９０２ａにおける動きを検出するように構成され得る。例えば、モーションセンサは部屋９０２ａの居住者の移動を検出することができる。モーションセンサ９０８ａは、パッシブセンサ（例えば、パッシブ赤外線（ＰＩＲ）センサ）、アクティブセンサ（例えば、マイクロ波（ＭＷ）センサ、超音波センサなど）、並びにパッシブセンサ及びアクティブセンサの双方を含むハイブリッドセンサ（例えば、デュアルテクノロジーモーションセンサ）のうちの１以上を含み得る。パッシブセンサは、エネルギーを放出せずに周囲のエネルギー変化を検出する。例えば、ＰＩＲセンサは人体によって放出される赤外線エネルギー（人体に関連した温度に起因する）を検出することができる。一方、アクティブセンサは、電磁パルス又は音波パルスを放出しその反射を検出する。例えば、ＭＷセンサは、マイクロ波パルスを放出し、その反射を検出する。ハイブリッドセンサはアクティブセンサ及びパッシブセンサの双方を含み得るので、動きが能動的及び受動的の双方で検知され得る（ハイブリッド検知）。ハイブリッド検知にはいくつかの効果があり、例えば、動きの誤検出の可能性がアクティブ／パッシブセンサと比べてハイブリッドセンサでは低くなることがある。
【００７１】
照明制御デバイス９０４ａは、光センサ９０６ａ及びモーションセンサ９０８ａと通信するように構成される。モーションセンサ９０８ａは、照明回路９１０ａ近傍のエリアにおいて、例えば、部屋９０２ａにおいて動きが検出されたことを伝達する通知信号を照明制御デバイス９０４ａに送信することができる。光センサ９０６ａは、照明回路９１０ａから放射される光が検出されたことを伝達する通知信号を照明制御デバイス９０４ａに送信することができる。さらに、通知信号は検出された光の特性、例えば、強度、帯域幅などについての情報を含み得る。照明制御デバイス９０４ａは、モーションセンサ及び光センサから受信される通知信号を示すデータをデバイスデータベースに記憶することができる。照明制御デバイス９０４ａは、照明制御デバイス９０４ａが光センサ９０６ａ及びモーションセンサ９０８ａからの受信信号の時間及び／又は継続時間を追跡可能となる時計及び／又はタイマーを含み得る。追跡時間及び／又は継続時間の情報はまた、デバイスデータベースに記憶することもできる。
【００７２】
照明制御デバイス９０４ａは、インターネットを通じてデータを受信及び送信するように構成され得る。照明制御デバイス９０４ａは、例えば、オンラインデータベース（例えば、ｗｅａｔｈｅｒ．ｇｏｖ、ｇａｉｓｍａ．ｃｏｍ、ｎｏａａ．ｇｏｖ、ｗｕｎｄｅｒｇｒｏｕｎｄ．ｃｏmなどのデータベース）から気象状況、日照時間などについてのデータから環境自然光についての情報を推測することができる。例えば、受信されたデータは、照明制御システム９００及び時期に関連した地理上のエリアにおける日の出及び日の入の時間についての情報を含み得る。これに基づいて、照明制御回路９０４ａは、環境自然光を利用できない期間を推測することができる。他の例において、受信されたデータは気象状況についての情報を含み得る。照明制御回路９０４ａは、例えば、曇りの状況が環境自然光の低下をもたらし得ることを推測することができる。照明制御デバイス９０４ａは、データ及び／又は推測された情報をデバイスデータベースに保存することができる。これによって、照明制御デバイス９０４ａは照明回路９１０ａの使用と環境自然光の状況との間のパターンを推測可能とすることができる。
【００７３】
照明制御デバイス９０４ａは、照明回路９１０ａの１以上の特性を決定するように構成され得る。例えば、デバイス９０４ａは、照明回路９１０ａに対応付けられた電球のタイプ（例えば、白熱、蛍光、ＬＥＤ、ハロゲン、高輝度放電、フルスペクトル、ＵＶ、ブラックライト、アンティーク、ヴィンテージ）及びワット数を決定することができる。照明制御デバイス９０４ａはまた、検出される電球の情報についてオンラインデータベースを検索することもできる。例えば、照明制御デバイス９０４ａは、検出される電球の製造業者のオンラインデータベースから仕様書（例えば、電圧、ワット数、発光、調光性、平均寿命などについての情報）をダウンロードすることができる。照明制御デバイス９０４ａはまた、光センサ及びモーションセンサ、例えば、光センサ及びモーションセンサに対応付けられたドライバに関する情報をダウンロードすることもできる。照明回路９１０ａについての決定された特性及びダウンロードされた情報は、デバイスデータベースに記憶されることができる。
【００７４】
照明制御デバイス９０４ａは、通信デバイス９２０（例えば、携帯電話、ラップトップ、ｉＰａｄ、キーパッドやタッチパネルなどの入力デバイスなど）からデータ及び／又は命令を受信するように構成され得る。さらに又は代替的に、通信デバイス９２０は、入力デバイス（例えば、キーパッド、タッチパネルなど）であってもよい。例えば、通信デバイス９２０は、照明制御デバイス９０４ａの動作に対する命令を提供し得る。照明制御デバイス９０４ａは、命令に基づいて、照明制御デバイス９０４ａの１以上の電球のオン／オフを切り替えることができる。通信デバイス９２０はまた、照明制御デバイス９０４ａに照明回路９１０ａの動作パラメータを変更するように命令することもできる。例えば、照明制御デバイス９０４ａは、（照明回路に供給される電力を増加／減少することによって）照明制御デバイス９０４ａの輝度を増加／低減するように命令され得る。通信デバイス９２０は、ある時間又はある期間後に上記機能の１以上を実行するように照明制御デバイス９０４ａに命令することができる。例えば、通信デバイス９２０は、所望の機能が実行される終了時にタイマーをセットアップするように照明制御デバイス９０４ａに命令することができる。通信デバイス９２０を通じて、照明制御システム９００に関する情報は照明制御デバイス９０４ａに伝達され得る。例えば、ユーザは部屋９０２ａ〜ｄの部屋タイプ（例えば、寝室、台所、居間など）を入力することができる。ユーザは、例えば、ユーザが休暇で出掛ける場合に、所望の期間中部屋９０２ａ〜ｄの１以上の照明制御サブシステムを停止する。通信デバイス９２０は、セルラネットワーク及び／又は物理的接続（例えば、イーサネットケーブル）を通じた短距離無線技術（Ｂｌｕｅｔｏｏｔｈ、Ｗｉ−Ｆｉなど）を用いて照明制御デバイス９０４ａと通信することができる。通信デバイス９２０から照明制御デバイス９０４ａによって受信されるデータ及び／又は命令は、デバイスデータベースに記憶され得る。データ及び／又は命令が受信された時間はまた、デバイスデータベースに記憶されることもできる。
【００７５】
照明制御デバイス９０４ａは、通信デバイス９２０及び／又は出力画面に情報を伝えるように構成され得る。例えば、照明制御デバイス９０４ａは、照明回路９１０ａに関連付けられた動作パラメータ（例えば、照明回路９１０ａの輝度、照明回路９１０ａがオン／オフする暫定的時間、照明回路９１０ａの動作の継続時間など）を伝達し得る。照明制御デバイス９０４ａは、光センサ９０６ａ及びモーションセンサ９０８ａから通信デバイス９２０に通知信号を伝達することができる。例えば、通信デバイス９２０は、部屋９０２ａにおいて動き又は光が検出されたことを通知され得る。
【００７６】
中央照明制御デバイス９０４は、建造物（例えば、部屋９０２ａ〜ｄ）にわたって分散された照明制御サブシステムと通信し、照明制御システム９００に中央制御を提供することができる。中央照明制御デバイス９０４は、光センサ９０６ａ〜ｄ、モーションセンサ９０８ａ〜ｄ、照明回路９１０ａ〜ｄ及び照明制御デバイス９０４ａ〜ｄの動作を制御することができる。例えば、中央照明制御デバイス９０４は照明回路９１０ａの動作パラメータを変更するように照明制御デバイス９０４に命令することができる。中央照明制御デバイス９０４はまた、光センサ９０６ａ〜ｄ、モーションセンサ９０８ａ〜ｄ及び通信デバイス９２０から通知信号を受信することもできる。
【００７７】
中央照明制御デバイス９０４は、中央デバイスデータベースを含み得る。照明制御デバイス９０４ａ〜ｄに対応付けられたデバイスデータベースに記憶されたデータは、例えば、周期的に中央デバイスデータベースに転送され得る。ある実施例では、中央照明制御デバイスは、照明制御デバイスのデバイスデータベースから具体的な情報を要求することができる。例えば、中央制御デバイス９０４は、光センサ９０６ａ、モーションセンサ９０８ａ、通信デバイス９２０からの命令などのうちの１以上に関する情報について照明制御デバイス９０４ａにリクエストすることができる。図９Ｂは、照明制御システム９００の他の実施例を示す。この実施例において、中央照明制御デバイス９０４はまた、部屋９０２ａに対応付けられた照明制御サブシステム（光センサ９０６ａ、モーションセンサ９０８ａ及び照明回路９１０ａを含む）に対して「照明制御デバイス」としても動作する。
【００７８】
図１０は、図９Ｂで説明するように、中央照明制御デバイス９０４の実施例を示す。中央照明制御デバイス９０４は、照明回路システム１０１０、コントローラ１０２０及び通信システム１０３０を備える。コントローラ１０２０は、照明回路システム１０１０及び通信システム１０３０の動作を制御するとともにそれらからのデータを受信することができる。コントローラ１０２０は、プロセッサ１０２２及び記憶デバイス１０２４を含む。プロセッサは照明制御システム９００の動作を制御するアプリケーションを稼働するように構成され、記憶デバイス１０２４は照明制御システム９００（例えば、中央デバイスデータベース、デバイスデータベースなど）に関するデータを記憶することができる。
【００７９】
照明回路システム１０１０は、照明回路９１０ａに送電してその応答を検出することができる。照明回路システム１０１０は、照明回路９１０ａに電力を供給することができる電力回路１０１４、及び照明回路９１０ａの応答を検出することができる検出器回路１０１２を含み得る。電力回路１０１４は、照明回路９１０ａに入力電圧／電流信号を供給することができる同調電圧／電流源を備え得る。検出器回路１０１２は、電流、電圧及びインピーダンス応答のうちの１以上を含み得る照明回路９１０ａの応答を検出するように構成される。ある実施例において、検出器回路１０１２は、電圧応答（例えば、照明回路９１０ａにわたる電圧）を検出可能な電圧検知回路又は電流応答（例えば、照明回路９１０ａに流入する電流）を検出可能な電流検知回路を含み得る。電力回路１０１４はまた、光センサ９０６ａ及びモーションセンサ９０８ａに電力を供給することもできる。
【００８０】
通信システム１０３０は、光センサ９０６ａ、モーションセンサ９０８ａ及び照明制御デバイス（例えば、図９Ａにおける９１０ａ〜ｄ、図９Ｂにおける９１０ｂ〜ｄ）と通信するように構成される。例えば、通信システム１０３０（例えば、アンテナ、ルータなど）は、コントローラ１０２０から光センサ９０６ａ及び／又はモーションセンサ９０８ａに命令（例えば、光／動きを検出する命令）を送信することができる。命令は、種々のワイヤレス無線技術（Ｗｉ−Ｆｉ、Ｂｌｕｅｔｏｏｔｈ、低出力無線（ＬＰＲ）など）を用いて２．４ＧＨｚのＩＳＭ帯域で無線送信され得る。さらに又は代替的に、命令は、物理的接続（例えば、伝送線、イーサネットケーブルなど）を通じて電気信号（例えば、電流信号、電圧信号）又は光信号の形式で送信され得る。通信システム９３０は、光センサ９０６ａ及び／又はモーションセンサ９０８ａから（例えば、上記の命令送信のチャネルを通じて）通知信号を受信して通知信号をコントローラ１０２０に伝達するように構成され得る。
【００８１】
通信システム１０３０はまた、例えば、セルラネットワーク、ワイヤレス無線技術などを通じて通信デバイス９２０と通信するように構成され得る。通信システム１０３０は、例えば、インターネットを通じてウェブサイト及びオンラインデータベースと通信可能となるルータを含み得る。例えば、コントローラ１０２０は、電球製造（例えば、照明回路９１０ａにおける電球）についてのウェブサイトにアクセスして関連の仕様書をダウンロードするように通信システム１０３０に命令することができる。通信システム１０３０はまた、例えば、コントローラ１０２０が光センサ９０６ａ及びモーションセンサ９０８ａと通信可能となり得るソフトウェア（例えば、ドライバ）をダウンロードすることもできる。通信システム１０３０はまた、コントローラ１０２０のための更新されたオペレーティングシステムをダウンロードすることもできる。
【００８２】
照明制御デバイス９０４は、光センサ９０６ａ〜ｄ及びモーションセンサ９０８ａ〜ｄからの通知信号に基づいて照明回路９１０ａ〜ｄの動作を制御することができる。例えば、照明回路９１０ａがオンに切り替えられて所定の期間にモーションセンサ９０８ａによって動きが観察されない場合には、制御デバイス９０４は照明回路９１０ａを自動的にオフに切り替えることができる。制御デバイス９０４は、光センサ９０６ａからの通知信号及び／又は検出器回路１０１２からの応答に基づいて照明回路９１０ａがオンに切り替えられたと決定することができる。動きが最後に検出された時間と照明回路９１０ａがオフに切り替えられた時間との間の期間は、例えば、通信デバイス９２０を通じてユーザによって提供される入力に基づいていればよい。この期間は、異なる部屋に対して異なり得る。例えば、期間は、部屋９０２ｂ（例えば、トイレ）と比べて部屋９０２ａ（例えば、寝室）では長いことがある。
【００８３】
照明制御システム９００は、システム９００の１以上のユーザの挙動の解析及びシステム９００によって取得されるデータに基づいて、照明回路９１０ａ〜ｄの動作を制御するように構成され得る。挙動解析は、例えば、光センサ９０６ａ〜ｄ及びモーションセンサ９０８ａ〜ｄからの通知信号のパターン認識、通信デバイス９２０を通じてユーザによって提供される命令、並びに照明制御デバイス９０４によってオンラインデータベースから得られる情報を含み得る。例えば、中央照明制御デバイス９０４は、平日中のほぼある時間及び週末中のほぼ異なる時間に照明デバイス９１０ａがオフに切り替えられることを光センサ９０６ａによって通知され得る。照明制御デバイス９０４は、このパターンに基づいて、照明９１０ａを自動的にオフに切り替えるためにスイッチオフの時間を設定することができ、それは週末及び平日で異なる。照明９１０ａのオフの自動切替えは、モーションセンサ９０８ａによって動きが検出される場合には停止可能であり、通知は通信バイス９２０に送信可能である。
【００８４】
制御デバイス９０４はまた、ユーザのその挙動解析においてオンラインデータベースから得られる情報も含み得る。例えば、制御デバイス９０４は、ユーザがある時期の朝に照明９１０ａをオンに切り替えることを通知されてもよい。デバイス９０４は、この挙動を（オンラインデータベースを通じて既知の）気象状況と比較し、空が曇っている場合にはその日の朝に照明９１０ａをオンに切り替えることを決定する。制御デバイス９０４は、このパターンに基づいて、空が曇っている場合にはその日に照明９１０ａをオンに自動的に切り替えることができる。さらに、制御デバイス９０４は、気象状況が照明回路９１０ａの動作に影響を及ぼすが照明回路９１０ｂには及ぼさないことを学習し得る。これは、部屋９０２ａが照明回路９１０ａに対応付けられた窓を有し環境自然光を受け、一方の部屋９０２ｂが照明回路９１０ｂに対応付けられ窓を有しておらず環境自然光を受けないことによって起こり得る。制御デバイス９０４は、照明回路９１０ｂの動作が気象状況と無関係であると推測することができる。ある実施例では、制御デバイス９０４は、気象状況に基づいて照明回路９１０ａの動作パラメータを変更することができる。例えば、制御デバイス９０４は、気象状況に基づいて照明回路９１０ｂの輝度設定を変更することができる。
【００８５】
図１１は、プロセッサ１０２２及び記憶デバイス１０２４を備え、照明制御モジュール１１０２を実行させるように構成されたコントローラ１０２０を示す。照明制御モジュール１１０２は、データを収集、記憶及び解析し、照明回路（例えば、照明回路９１０ａ）の動作を決定することができる。照明制御モジュール１１０２は、データ収集モジュール１１０４、システム制御モジュール１１０６及びパターン認識モジュール１１０８を含み得る。データ収集モジュールは、通信システム１０３０からデータ（例えば、オンラインデータベースと、検出器回路１０１２と、通信デバイス９２０とからのデータ、光センサ９０６ａ〜ｄ及びモーションセンサ９０８ａ〜ｄからの通知信号など）を収集し、記憶デバイス１０２４における中央デバイスデータベース１１１２にデータを記憶することができる。システム制御モジュール１１０６は、照明回路システム１０１０の動作を制御する。例えば、システム制御モジュール１１０６は、照明回路９１０ａに供給される電力を変更するように電力回路１０１４に命令することができる。システム制御モジュール９０６は、検出器回路１０１２によって測定される照明回路９１０ａの電圧／電流応答に基づいて、そこの電球のタイプ（例えば、白熱、蛍光、ＬＥＤ、ハロゲン、高輝度放電、フルスペクトル、ＵＶ、ブラックライト、アンティーク、ヴィンテージ）を決定し、この情報を中央デバイスデータベース１１１２に記憶することができる。システム制御モジュール１１０６はまた、光センサ９０６ａ〜ｄ及びモーションセンサ９０８ａ〜ｄの動作も制御することもできる。例えば、光信号及び動き信号の検出を開始又は停止するように光センサ及びモーションセンサに命令することができる。パターン認識モジュール１１０８は、中央デバイスデータベース１１１２のデータを「トレーニングデータ」として用いて照明回路９１０ａ〜ｄに対してどの動作パラメータが決定され得るかに基づいてパターンを推測する機械学習技術を含み得る。
【００８６】
この明細書で説明する主題及び動作の実施例は、デジタル電子回路構成によって、又はこの明細書に開示される構造体及びそれらの構造均等物を含むコンピュータソフトウェア、ファームウェア若しくはハードウェアを介して、又はそれらの１以上の組合せにおいて実施可能である。この明細書で説明する主題の実施例は、データ処理装置による又はその動作を制御する実行のためにコンピュータ記憶媒体上で符号化された１以上のコンピュータプログラム、すなわち、コンピュータプログラム命令の１以上のモジュールとして実施可能である。
【００８７】
コンピュータ記憶媒体は、コンピュータ可読記憶デバイス、コンピュータ可読記憶基板、ランダム若しくはシリアルアクセスメモリアレイ若しくはデバイス、又はそれらの１以上の組合せであり、又はそれらに含まれ得る。さらに、コンピュータ記憶媒体は、伝搬信号ではないが、コンピュータ記憶媒体は人工的に発生した伝搬信号において符号化されたコンピュータプログラム命令の送信元又は送信先であってもよい。コンピュータ記憶媒体はまた、１以上の分離した物理的構成要素又は媒体（例えば、複数のＣＤ、ディスク又は他の記憶デバイス）であり又はそれらに含まれていてもよい。
【００８８】
この明細書で説明する動作は、１以上のコンピュータ可読記憶デバイスに記憶され又は他の送信元から受信されたデータに対してデータ処理装置によって実行される動作として実施可能である。
【００８９】
用語「データ処理装置」は、例として、前述のプログラム可能プロセッサ、コンピュータ、システムオンチップ、又は複数のそれら若しくは組合せを含むデータを処理するための装置、デバイス及び機械のすべての種類を含む。装置は、特殊用途の論理回路構成、例えば、ＦＰＧＡ（フィールドプログラマブルゲートアレイ）又はＡＳＩＣ（特定用途向け集積回路）を含み得る。装置はまた、ハードウェアに加えて、当該のコンピュータプログラムに対して実行環境を作成するコード、例えば、プロセッサのファームウェア、プロトコルスタック、データベース管理システム、オペレーティングシステム、クロスプラットフォームランタイム環境、仮想マシン又はそれら１以上の組合せを構成するコードを含み得る。装置及び実行環境は、ウェブサービス、分散コンピューティング及びグリッドコンピューティングインフラなどの異なる種々のコンピューティングモデルインフラを実現することができる。
【００９０】
コンピュータプログラム（プログラム、ソフトウェア、ソフトウェアアプリケーション、スクリプト又はコードとしても知られる）は、コンパイル済み又はインタープリタ型言語と、宣言型又は手続き型言語とを含むプログラミング言語の任意の形式で書き込まれることができ、スタンドアロンプログラムとして、又はコンピューティング環境での使用に適したモジュール、構成要素、サブルーチン、オブジェクト若しくは他のユニットとして含む任意の形式で展開可能である。コンピュータプログラムは、必ずしも必要ではないがファイルシステムにおけるファイルに対応し得る。プログラムは、他のプログラム若しくはデータ（例えば、マークアップ言語の文書に記憶された１以上のスクリプト）を保持するファイルの一部に、当該のプログラムに専用の単一のファイルに、又は複数の協調ファイル（例えば、１以上のモジュール、サブプログラム又はコード部分を記憶するファイル）に記憶可能である。コンピュータプログラムは、１つのサイトにあり又は複数のサイトにわたって分散され、通信ネットワークによって相互接続された、１つのコンピュータ上で又は複数のコンピュータ上で実行されるように展開可能である。
【００９１】
この明細書に説明する処理及び論理フローは、入力データ上で動作し出力を発生することによってアクションを実行するように１以上のコンピュータプログラムを実行する１以上のプログラム可能プロセッサによって実行可能である。処理及び論理フローはまた、特殊用途向け論理回路構成、例えば、ＦＰＧＡ（フィールドプログラマブルゲートアレイ）又はＡＳＩＣ（特定用途向け集積回路）によっても実行可能であり、それらとしても装置が実施可能である。
【００９２】
コンピュータプログラムの実行に適したプロセッサは、例として、汎用及び特殊用途向け双方のマイクロプロセッサ、並びに任意の種類のデジタルコンピュータの１以上のプロセッサを含む。一般的に、プロセッサは読取り専用メモリ若しくはランダムアクセスメモリ又は双方から命令及びデータを受信する。コンピュータの本質的要素は、命令に応じてアクションを実行するためのプロセッサ、並びに命令及びデータを記憶するための１以上のメモリデバイスである。一般的に、コンピュータはまた、データを記憶するための１以上の大容量記憶デバイス、例えば、磁気ディスク、光磁気ディスク又は光学ディスクも含み、又はそれらからデータを受信若しくはそれらにデータを送信又はその双方を行うように動作可能に結合されることになる。ただし、コンピュータはそのようなデバイスを必ずしも有する必要はない。さらに、コンピュータは、他のデバイス、例えば、ごくわずかを挙げると、携帯電話、パーソナルデジタルアシスタント（ＰＤＡ）、携帯オーディオビデオプレーヤ、ゲームコンソール、全地球測位システム（ＧＰＳ）受信機又は可搬記憶デバイス（例えば、ユニバーサルシリアルバス（ＵＳＢ）フラッシュドライブ）に埋め込まれてもよい。コンピュータプログラム命令及びデータを記憶するのに適したデバイスは、例として、半導体メモリデバイス、例えば、ＥＰＲＯＭ、ＥＥＰＲＯＭ及びフラッシュメモリデバイスを含む不揮発性メモリ、媒体及びメモリデバイス、磁気ディスク、例えば、内部ハードディスク又は着脱可能なディスク、光磁気ディスク、並びにＣＤ−ＲＯＭ及びＤＶＤ−ＲＯＭディスクのすべての形式を含む。プロセッサ及びメモリは、特殊用途向け論理回路構成によって補完され又はそれに組み込まれてもよい。
【００９３】
ユーザとのインタラクトを提供するように、この明細書に説明する主題の実施例は、ユーザに情報を表示するための表示デバイス、例えば、ＣＲＴ（ブラウン管）又はＬＣＤ（液晶ディスプレイ）モニタ、並びにユーザがコンピュータに入力を与えることができるキーボード及びポインティングデバイス、例えば、マウス又はトラックボールを有するコンピュータ上で実施可能である。同様にユーザとのインタラクトを提供するのに他の種類のデバイスが用いられてもよく、例えば、ユーザに提供されるフィードバックは任意の形式の感覚フィードバック、例えば、視覚フィードバック、聴覚フィードバック又は触覚フィードバックであってもよく、ユーザからの入力は音響、音声又は触覚入力を含む任意の形式で受信され得る。さらに、コンピュータは、ユーザによって用いられるデバイスに文書を送信及びそれから文書を受信することによって、例えば、ウェブブラウザから受信されるリクエストに応じてユーザのユーザデバイス上でウェブブラウザにウェブページを送信することによってユーザとインタラクトすることができる。
【００９４】
この明細書に説明する主題の実施例は、バックエンド構成要素を、例えば、データサーバとして含み、ミドルウェア構成要素、例えば、アプリケーションサーバを含み、又はフロントエンド構成要素、例えば、ユーザがこの明細書に説明する主題の実施例とインタラクトすることができるグラフィカルディスプレイ若しくはウェブブラウザを有するユーザコンピュータを含むコンピューティングシステムにおいて、又は１以上のそのようなバックエンド、ミドルウェア若しくはフロントエンド構成要素の任意の組合せにおいて実施可能である。システムの構成要素は、デジタルデータ通信の任意の形式又は媒体、例えば、通信ネットワークによって相互接続され得る。通信ネットワークの例は、ローカルエリアネットワーク（「ＬＡＮ」）及びワイドエリアネットワーク（「ＷＡＮ」）、インターネットワーク（例えば、インターネット）、並びにピアツーピアネットワーク（例えば、アドホックピアツーピアネットワーク）を含む。
【００９５】
コンピューティングシステムは、ユーザ及びサーバを含み得る。ユーザ及びサーバは、一般的に、相互に遠隔にあり、通常は、通信ネットワークを通じて作用する。ユーザ及びサーバの関係は、それぞれのコンピュータ上で稼働してユーザ−サーバ関係を相互に有するコンピュータプログラムによって生じる。ある実施例において、サーバはデータ（例えば、ＨＴＭＬページ）をユーザデバイスに送信する（例えば、ユーザデバイスとインタラクトするユーザに対するデータの表示及びユーザからのユーザ入力の受信を目的として）。ユーザデバイスで発生したデータ（例えば、ユーザインタラクトの結果）は、サーバにおいてユーザデバイスから受信され得る。
【００９６】
この明細書は多数の具体的な実施例の詳細事項を含むが、これらはいずれの発明の又は特許請求され得るものの範囲において限定的な意味でとらえられるべきではなく、特定の発明の特定の実施例に特有の構成を図示するに過ぎない。個別の実施例の背景において、この明細書に説明するある構成はまた、単一の実施例において組合せても実施可能である。逆に、単一の実施例の背景において説明する種々の構成はまた、複数の実施例において個別に又は任意の適切な部分的組合せにおいて実施可能である。さらに、上記では構成がある組合せで作用するものとして説明したが、特許請求された組合せによる１以上の構成のように当初特許請求されたとしても、ある場合には組合せから削除可能であり、特許請求された組合せは部分的組合せ又は部分的組合せの変形例を対象としてもよい。
【００９７】
この開示の目的に対して、用語「結合される」は２つの部材の相互の直接的又は間接的な接合を意味する。そのような接合は、本来静止状態であってもよいし可動であってもよい。そのような接合は、相互に１つの単一体として一体形成されている２つの部材若しくは２つの部材と任意の追加的中間部材とで、又は相互に付着している２つの部材若しくは２つの部材と任意の追加的中間部材とで実現され得る。そのような接合は、性質上恒久的であってもよいし、性質上着脱可能又は取外し可能であってもよい。
【００９８】
なお、種々の要素の配向は他の例示的な実施例に従って異なっていてもよく、そのような変形例は本開示によって含まれることが意図されていることに留意すべきである。開示される実施例の構成は、他の開示される実施例に組み込まれ得ることが認められる。
【００９９】
発明の種々の実施例がここで説明及び図示されたが、当業者は機能を実行し並びに／又はここで説明する結果及び／若しくは効果の１以上を取得するための他の種々の手段及び／又は構造体を容易に想到し、そのような変形例及び／又は変更例の各々がここで説明する発明の実施例の範囲内にあるとみなされる。より一般的には、当業者は、ここで説明するすべてのパラメータ、寸法、材料及び構成が例示的なものを意味し、実際のパラメータ、寸法、材料及び／又は構成が発明の教示を用いるための１つ又は複数の特定用途に依存すると容易に分かることになる。当業者は、ここで説明する具体的な発明の実施例に対する多くの均等物を単なる慣習的な実験を用いて認識し又は解明することができる。したがって、前述の実施例は例示に過ぎず、発明の実施例は、添付の特許請求項及びそれに対する均等物の範囲内において、具体的にそれ以外のものとして説明及び特許請求されない限り、実施可能であることが理解される。本開示の発明の実施例は、ここで説明する各個々の構成、システム、物品、材料、キット及び／又は方法を対象とする。さらに、そのような２以上の構成、システム、物品、材料、キット及び／又は方法の任意の組合せは、そのような構成、システム、物品、材料、キット及び／又は方法が相互に矛盾していない場合には、本開示の発明の範囲内に含まれる。
【０１００】
また、ここで説明する技術は方法として具現化されてもよく、その少なくとも１つの例が提供された。方法の一部としての実行される作用は、任意の適切な方法で順序付けられてもよい。したがって、実施例は図示するものとは異なる順序で作用が実施されてもよく、それは図示する実施例において連続する作用として示されていても、いくつかの作用を同時に実行することも含み得ると構築され得る。
【０１０１】
特許請求の範囲は、その趣旨で記述されていなければ、説明する順序又は要素に限定されるものとして読み取られるべきではない。形式及び詳細事項の種々の変更は、添付の特許請求の趣旨及び範囲から逸脱することなく当業者によってなされ得ると理解すべきである。以下の特許請求の範囲及びそれに対する均等物の趣旨及び範囲内のすべての実施例の優先権が主張される。
【符号の説明】
【０１０２】
８０２  スイッチコントローラ
８１０  多方向検出
８１２  照明制御モジュール
８１３  トライアック（調光器）
８１４  電力アイソレータ及びＤＣ変換器
８１６  電圧電流センサ
８１８  変圧器（電源）
８２０  多方向
８２２  負荷
８２６  ライン
８２８  ニュートラル
８３０  アース
８４０  マイクロコントローラ
８４１  インジケータＬＥＤ（１）
８４２  インジケータＬＥＤ（２）
８５０  プロセッサ
８５１  通信モジュール
８５２  ＧＵＩモジュール
８５３  電力モジュール
８５４  センサモジュール
９０４  中央照明制御デバイス
９０４ａ〜９０４ｄ  照明制御デバイス
９０６ａ〜９０６ｄ  光センサ
９０８ａ〜９０８ｄ  モーションセンサ
９１０ａ〜９１０ｄ  照明回路
９０４  中央照明制御デバイス
９０４ｂ  照明制御デバイス
９０４ｃ  照明制御デバイス
９０６ａ〜９０６ｃ  光センサ
９０８ａ〜９０８ｃ  モーションセンサ
９１０ａ〜９１０ｃ  照明回路
１０１２  検出器回路
１０１４  電力回路
１０２０  コントローラ
１０２２  プロセッサ
１０２４  メモリ
１０３０  通信システム
１１０２  照明制御モジュール
１１０４  データ収集モジュール
１１０６  システム制御モジュール
１１０８  パターン認識モジュール
１１１２  中央デバイスデータベース
【図１Ａ】
2019530947.tif 000003
【図１Ｂ】
2019530947.tif 000004
【図２−１】
2019530947.tif 000005
【図２−２】
2019530947.tif 000006
【図３Ａ】
2019530947.tif 000007
【図３Ｂ】
2019530947.tif 000008
【図３Ｃ】
2019530947.tif 000009
【図３Ｄ】
2019530947.tif 000010
【図３Ｅ】
2019530947.tif 000011
【図３Ｆ】
2019530947.tif 000012
【図４】
2019530947.tif 000013
【図５】
2019530947.tif 000014
【図６】
2019530947.tif 000015
【図７】
2019530947.tif 000016
【図８】
2019530947.tif 000017
【図９Ａ】
2019530947.tif 000018
【図９Ｂ】
2019530947.tif 000019
【図１０】
2019530947.tif 000020
【図１１】
2019530947.tif 000021
【国際調査報告】
2019530947.tif 000022
2019530947.tif 000023
2019530947.tif 000024